(57)【要約】【課題】利用対象物に注出口を近づけて内容物を直接注出しても、上蓋が邪魔にならずに内容物が付着することもないため、手指を清潔に保つことができ、且つ上蓋の閉鎖性が十分で、衛生的なヒンジキャップを提供する。【解決手段】上蓋とキャップ本体とがヒンジにより開閉自在に連結され、全体が合成樹脂製であり、上蓋は、天壁と環状側壁とを有し、ヒンジに隣接した環状側壁には、径方向に延び続いて下方に延びて鉤条の第１ストッパーが形成され、キャップ本体は、注出筒が立設された天面と環状スカート壁とを有し、ヒンジに隣接した環状スカート壁には、径方向に延び続いて下方に延びる鉤条の第２ストッパーが形成されて、上蓋の開放角度が１８０°未満の第１上蓋停止位置と、その開放角度が１８０°を超えた時に第１ストッパーと第２ストッパーが係合して開状態を維持する第２上蓋停止位置とを有して、上蓋の開放角度を調節可能とした。【選択図】図２
2008074468.tif 000002
【特許請求の範囲】
【請求項１】
上蓋とキャップ本体がヒンジによって開閉自在にされているヒンジキャップにおいて、  前記上蓋は、天壁と該天壁の周辺に形成された環状側壁を有し、前記ヒンジに隣接した部位の前記環状側壁には、径方向に延び、続いて下方に延びる鉤条にされた第１ストッパーが形成されており、
前記キャップ本体は、筒状の注出筒が立設された天面と、該天面の周辺に形成された環状スカート壁を有し、前記ヒンジに隣接した部位の前記環状スカート壁には、径方向に延び、続いて下方に延びる鉤条にされた第２ストッパーが形成されており、
前記上蓋の開放角度が１８０°未満で開状態を維持する第１上蓋停止位置と、前記上蓋の開放角度が１８０°を超えた時に前記第１ストッパーと前記第２ストッパーが係合して開状態を維持する第２上蓋停止位置とを有することを特徴とする、上蓋の開放角度を調節可能としたヒンジキャップ。
【請求項２】
前記ヒンジは、前記上蓋の環状側壁の下端と前記キャップ本体の環状スカート壁の上端とを連結する主ヒンジと、該主ヒンジの連結位置よりも上方に位置する前記上蓋の側壁と該主ヒンジの連結位置よりも下方に位置する前記キャップ本体の環状スカート壁とを連結するストラップと、から構成されている請求項１記載のヒンジキャップ。
【請求項３】
前記ストラップは、前記主ヒンジの両側に並設されている請求項２記載のヒンジキャップ。
【請求項４】
前記第１ストッパーと前記第２ストッパーの両側に、前記主ヒンジが並設されている請求項２または３記載のヒンジキャップ。
【発明の詳細な説明】
【技術分野】
【０００１】
本発明は、上蓋とキャップ本体とをヒンジによって開閉自在に連結し容器の口部に取り付けて使用するヒンジキャップに関するものであり、より詳しくは、上蓋の開放角度が１８０°未満の第１上蓋停止位置で開状態を維持するとともに、上蓋の開放角度が１８０°を越えた第２上蓋停止位置でも開状態を維持出来るようにしたヒンジキャップに関する。
【背景技術】
【０００２】
ヒンジキャップは、上蓋とキャップ本体とをヒンジによって開閉自在に連結してあるから、開閉が容易であるばかりでなく、上蓋を落としたり、紛失したりすることが無いという利便性があるため、多くの容器のキャップとして使用されている。また、キャップの開放状態を維持するためにさまざまな工夫もなされている。そのような先行技術として、以下のような特許文献が知られている。
【特許文献１】特公平３−５３１８２号公報
【特許文献２】実公昭５９−２３７１９号公報
【０００３】
特許文献１のヒンジキャップは、図７に示すように、上蓋ａとキャップ本体ｂとを主ヒンジｃによって開閉自在に連結し、この上蓋ａにスナップ性を持たせるために、主ヒンジｃの両脇にストラップｄを設けてなる。すなわち、ストラップｄは、その長さを調整することで、上蓋ａが閉鎖状態及び予め定めた開放状態では緊張状態に無いようにし、上蓋ａが閉鎖状態から開放状態に行き来する際、スプリングとして機能させるようにして、上蓋ａにスナップ性を持たせている。したがって、このヒンジキャップは、上蓋ａを予め定めた開放状態まで開ければ、その開放状態をストラップｄにより維持して閉鎖状態の方向に戻ることはないようになっている。
【０００４】
特許文献２のヒンジキャップは、図８、９に示すように、上蓋ａとキャップ本体ｂとを２つの連結片ｅによって開閉自在に連結し、これら２つの連結片ｅの間に突起部ｆを設けてなり、この突起部ｆは、先端に至るほど断面積が小さくなる突端部ｇ及びこれから上蓋ａ側にかけて断面ほぼ弧状部ｈ、ｉを形成し、さらに、キャップ本体ｂに、突端部ｇ及び断面ほぼ弧状部ｈ、ｉの回動軌跡内にわずかに突出する突起ｊを設けたものである。したがって、このヒンジキャップは、上蓋ａを開いて行き、その突端部ｇがキャップ本体ｂの突起ｊを越えれば、開放状態を維持して閉鎖状態の方向に戻ることはないようにされている。
【発明の開示】
【発明が解決しようとする課題】
【０００５】
上記特許文献１のヒンジキャップは、ストラップｄにより、スナップ性が付与されているから、上蓋ａの開放状態を維持して閉鎖状態の方向に戻ることは無いが、容器の内容物の粘度が高い場合などに、キャップ本体ｂに設けた注出口ｋを内容物の利用対象物に近づけて、直接注出することもある。このような場合、上蓋ａが開放状態を維持していても、上蓋ａの開放角度が１８０°未満では内容物が上蓋ａに付着する場合があり、その結果、手指を汚したりして、不衛生になりやすい。また、上蓋を１８０°以上開けて、その状態を保持することはできにくい。
【０００６】
上記特許文献２のヒンジキャップも、上蓋ａの突端部ｇがキャップ本体ｂの突起ｊを越えれば、開放状態を維持して閉鎖状態の方向に戻ることは無いのであるが、文献１の場合と同様に、キャップ本体ｂの注出口ｋを内容物の利用対象物に近付けて直接注出する場合、上蓋ａが開放状態を維持しても、開放角度が１８０°未満では、内容物を注出する際に上蓋ａに付着して、手指を汚したりして不衛生になりやすい。
【０００７】
そこで、本発明の目的は、上蓋の開放角度が１８０°未満ならびに１８０°を越えた２つの状態を維持することができるために、単に内容物を注出するだけの場合には、上蓋の開放角度が１８０°未満の状態でも使用可能であり、例えば、オムライスの上にケチャップなどをお絵描き感覚で塗布する場合のように、内容物の利用対象物に注出口を近づけて内容物を直接注出する場合でも、上蓋が邪魔にならずに内容物を注出することができ、さらに、注出の際に上蓋に内容物が付着することが無く、手指を汚して不衛生となることの無いヒンジキャップを提供することにある。
【課題を解決するための手段】
【０００８】
本発明は、上記目的を達成するために提案されたものであって、下記の構成からなることを特徴とするものである。
すなわち、本発明によれば、上蓋とキャップ本体がヒンジによって開閉自在にされているヒンジキャップにおいて、前記上蓋は、天壁と該天壁の周辺に形成された環状側壁を有し、前記ヒンジに隣接した部位の前記環状側壁には、径方向に延び、続いて下方に延びる鉤条にされた第１ストッパーが形成されており、前記キャップ本体は、筒状の注出筒が立設された天面と、該天面の周辺に形成された環状スカート壁を有し、前記ヒンジに隣接した部位の前記環状スカート壁には、径方向に延び、続いて下方に延びる鉤条にされた第２ストッパーが形成されており、前記上蓋の開放角度が１８０°未満で開状態を維持する第１上蓋停止位置と、前記上蓋の開放角度が１８０°を越えた時に前記第１ストッパーと前記第２ストッパーが係合して開状態を維持する第２上蓋停止位置とを有することを特徴とする、上蓋の開放角度を調節可能としたヒンジキャップが提供される。
【０００９】
また、本発明によれば、前記ヒンジは、前記上蓋の環状側壁の下端と前記キャップ本体の環状スカート壁の上端とを連結する主ヒンジと、該主ヒンジの連結位置よりも上方に位置する前記上蓋の側壁と該主ヒンジの連結位置よりも下方に位置する前記キャップ本体の環状スカート壁とを連結するストラップとから構成されているヒンジキャップが提供される。
【００１０】
また、本発明によれば、前記ストラップは、前記主ヒンジの両側に並設されているヒンジキャップが提供される。
【００１１】
また、本発明によれば、前記第１ストッパーと前記第２ストッパーの両側に、前記主ヒンジが並設されているヒンジキャップが提供される。
【発明の効果】
【００１２】
本発明の請求項１に係るヒンジキャップは、上蓋を開いて行き、その開放角度が１８０°未満の第１上蓋停止位置で開状態を維持し、上蓋の開放角度が１８０°を超えた時に第１ストッパーと第２ストッパーとが係合して第２上蓋停止位置で開状態を維持して、キャップ本体の注出筒をその利用対象物に近づけて内容物を直接注出しても、上蓋の開放角度が１８０°を超えているため、上蓋に内容物が付着することが無い。したがって、キャップ本体の注出筒をその利用対象物に近づけて直接内容物を注出しても、１８０°を超えた第２上蓋停止位置で上蓋の開状態を維持しているため、内容物が付着して上蓋を汚し、その付着した内容物により、手指を汚したり、上蓋の閉鎖性に齟齬をきたしたりして、不衛生となることの無い効果がある。
【００１３】
また、本発明の請求項２に係るヒンジキャップは、上蓋を開いて行き、その開放角度が１８０°未満でストラップによりスナップを利かせて、１８０°未満の第１上蓋停止位置で上蓋の開状態を維持して、キャップ本体の注出筒をその利用対象物に近づけて内容物を注出する際、１８０°未満の開放角度にある上蓋が、利用対象物や注出した内容物に触れない範囲内であれば、内容物の注出が出来、上蓋に内容物が付着しない。したがって、上記の効果に加えて、単に、内容物を注出するだけの場合のように、上蓋の利用範囲が第１上蓋停止位置内で良い場合、開放角度が１８０°未満で上蓋の開状態を維持すれば良いため、より開閉が容易となる効果がある。
【００１４】
また、本発明の請求項３に係るヒンジキャップは、主ヒンジの両側に並設されているストラップにより、スナップを利かせて、１８０°未満の第１上蓋停止位置で上蓋の開状態を維持する。したがって、上記の効果に加えて、ストラップが主ヒンジの両側に並設されているため、第１上蓋停止位置で上蓋の開状態の維持がより安定する効果がある。
【００１５】
また、本発明の請求項４に係るヒンジキャップは、両主ヒンジの内側に位置している第１ストッパーと、第２ストッパーとが係合することにより、１８０°を越える第２上蓋停止位置で上蓋の開状態を維持する。したがって、上記の効果に加えて、第１ストッパーと第２ストッパーとが両主ヒンジの内側にあるため、第２上蓋停止位置で上蓋の開状態の維持がより安定する効果がある。
【発明を実施するための最良の形態】
【００１６】
以下に、図面を参照して本発明を実施するための最良の形態を説明する。
【実施例１】
【００１７】
図１は本発明の実施の形態を示すヒンジキャップを開いた状態の平面図、図２は同ヒンジキャップの断面図、図３は図１のヒンジ主要部を拡大した平面図である。
これらの図面において、ヒンジキャップ１は、上蓋２とキャップ本体３とがヒンジ４によって開閉自在に連結され、容器の口部に装着されるものであり、ポリプロピレンなどの合成樹脂から構成されている。このヒンジキャップ１の上蓋２は、天壁５とこの天壁５の周辺に形成された環状側壁６を有し、ヒンジ４に隣接した部位の環状側壁６には、径方向に延び、続いて下方に延びる鉤条にされた第１ストッパー７（図４参照）が形成されて、キャップ本体３は、筒状の注出筒８が立設された天面９と、この天面９の周辺に形成された環状スカート壁１０を有し、ヒンジ４に隣接した部位の環状スカート壁１０には、径方向に延び、続いて下方に延びる鉤条にされた第２ストッパー１１が形成されている。
【００１８】
前記上蓋２は、その天壁５の内面に、前記キャップ本体３の筒状の注出筒８に嵌め封止するための筒状突起２０が設けられ、前記環状側壁６のヒンジの反対側の端部に突起２１が設けられて上蓋２の開閉を容易にし、且つ環状側壁６の端面２２はキャップ本体３の天面９の周辺に設けられた係止部２３に係止して、外部からの汚染を防ぐ。
【００１９】
前記キャップ本体３は、その環状スカート壁１０の内周面に螺条２４が刻設され、容器口部に着脱自在に螺着されるものであり、天面９上にある筒状の注出筒８から容器に収容された内容物を外部に注出することが出来るものである。
【００２０】
前記ヒンジ４は、前記上蓋２の環状側壁６の下端と前記キャップ本体３の環状スカート壁１０の上端とを連結する主ヒンジ３０と、この主ヒンジ３０の連結位置よりも上方に位置する上蓋２の環状側壁６と主ヒンジ３０の連結位置よりも下方に位置するキャップ本体３の環状スカート壁１０とを連結するストラップ３１とから構成されている（図４参照）。
【００２１】
主ヒンジ３０は２つに分かれて上蓋２とキャップ本体３とを連結し、主ヒンジ３０、３０の両側にストラップ３１、３１が並設されており、これら主ヒンジ３０、３０の間に、前記第１ストッパー７と前記第２ストッパー１１とが形成されている。
【００２２】
前記主ヒンジ３０は、図２に示すように、断面から見て逆Ｖ字状に形成され、一番薄くなっている部分が上蓋２の開閉の際の回動中心ライン３２を形成する。
【００２３】
一方、主ヒンジ３０、３０の両側のストラップ３１、３１は、薄板状をなし、上蓋２にスナップ性を持たせるためのものである。ストラップ３１は、その上蓋２が図４に示すように、閉鎖状態であれば円弧状に湾曲してはいるが緊張状態ではなく、上蓋２が図５に示すように、上蓋２の開放角度が１８０°未満で開状態を維持する第１上蓋停止位置１２の開状態であれば、図４に示すように、円弧とは逆に若干湾曲してはいるが、ストラップ３１は緊張状態ではない。そして、上蓋２が図４に示す閉鎖状態から図５に示す１８０°未満の第１上蓋停止位置１２に行き来する際、ストラップ３１をスプリングとして機能させ、上蓋２の開放状態を第１上蓋停止位置１２に維持して、閉鎖状態の方向に戻ることがないようになっている。以上の説明から分かるように、上蓋２の開放角度が１８０°未満で開状態を維持する第１上蓋停止位置１２（図５に示す状態）と、上蓋２の開放角度が１８０°を越えた時に第１ストッパー７と第２ストッパー１１が係合して開状態を維持する第２上蓋停止位置１３（図６に示す状態）とを有して、上蓋２の開放角度を調節可能としている。
【００２４】
また、両主ヒンジ３０の間の前記第１ストッパー７及び前記第２ストッパー１１には、共にその先端に鉤部７ａ及び１１ａが設けられ、上蓋２が第１上蓋停止位置１２の開状態からさらに開かれ、開放角度が１８０°を越えた第２上蓋停止位置１３の開状態に移行すると、上蓋２の第１ストッパー７の鉤部７ａが第２ストッパー１１の鉤部１１ａと交差し乗り越え、上蓋２が第２上蓋停止位置１３の開状態に保持される。したがって、上蓋２の開放角度が１８０°を越えているから、内容物が上蓋２に付着して汚し、その付着した内容物により、手指を汚したり、上蓋２の閉鎖性に齟齬をきたしたりして、不衛生となることが無くなる。
【００２５】
次に、上記構成になるヒンジキャップ１の利用方法について説明する。
まず、容器の口部に螺設出来るヒンジキャップ１を選択する。次に、口部から容器に内容物を充填した後、容器の口部にアルミシールしてキャップ本体３の環状スカート壁１０をあてがい螺合して装着する。
内容物を注出するに当たっては、ヒンジキャップを開栓してアルミシールを取り除き、再度ヒンジキャップを閉栓して取り付けてから行なわれる。
【００２６】
容器の内容物を利用する場合、図４の状態の上蓋２を開いて行き、第１上蓋停止位置１２に到達する際、ストラップ３１をスプリングとして機能させて、上蓋２の開放状態を第１上蓋停止位置１２に維持する。キャップ本体３の筒状の注出筒８から内容物を注出する際、上蓋２が図５の状態でも良いと判断される場合は、そのまま内容物を注出する。一方、例えば、オムライスにケチャップなどをお絵描き感覚で塗布する時のように、上蓋２が図５の状態では注出の際に邪魔になり、１８０°を越えた状態まで開放することが望まれる場合は、図５の状態の上蓋２をさらに第２上蓋停止位置１２に到達するまで開いて行く。これにより、上蓋２の第１ストッパー７の鉤部７ａが第２ストッパー１１の鉤部１１ａと交差し乗り越えているため、上蓋２が第２上蓋停止位置１３の開状態に保持される。この状態で上蓋２の開放角度が１８０°を越えているので、内容物が上蓋２に付着して汚すことなくなる。内容物の利用が終了したら、第２上蓋停止位置１３の開状態に保持されている上蓋２を、第１上蓋停止位置１２を経由して図４の状態にすれば良い。後は上述のことを繰り返して内容物を利用することになる。
【００２７】
以上、本発明の実施例１の形態を説明したが、具体的な構成はこれに限定されず、本発明の要旨を逸脱しない範囲での変更は適宜可能であることは理解されるべきである。
【産業上の利用可能性】
【００２８】
本発明のヒンジキャップは、内容物の利用対象物に注出筒を近づけて内容物を直接注出したいような場合でも、上蓋に内容物を付着させず、手指を汚したり、上蓋の閉鎖性に齟齬をきたせず、不衛生となることが無いようにしたい場合に、その利用可能性が極めて高くなる。
【図面の簡単な説明】
【００２９】
【図１】本発明の実施の形態を示すヒンジキャップを開いた状態の平面図である。
【図２】同じく図１のヒンジキャップの断面図である。
【図３】図１のＡ部を拡大した平面図である。
【図４】本発明の実施の形態を示すヒンジキャップを閉じた状態の側面図である。
【図５】本発明の実施の形態を示すヒンジキャップの利用態の側面図である。
【図６】本発明の実施の形態を示すヒンジキャップの利用態の側面図である。
【図７】ヒンジキャップの従来例を示す平面図である。
【図８】ヒンジキャップの他の従来例を示す平面図である。
【図９】図８に示したヒンジキャップの側面図である。
【符号の説明】
【００３０】
１                        ヒンジキャップ
２，ａ                    上蓋
３，ｂ                    キャップ本体
４                        ヒンジ
５                        天壁
６                        環状側壁
７                        第１ストッパー
７ａ，１１ａ              鉤部
８                        注出筒
９                        天面
１０                      環状スカート壁
１１                      第２ストッパー
１２                      第１上蓋停止位置
１３                      第２上蓋停止位置
２０                      筒状突起
２１，ｊ                  突起
２２                      端面
２３                      係止部
２４                      螺条
３０，ｃ                  主ヒンジ
３１，ｄ                  ストラップ
３２                      回動中心ライン
ｅ                        連結片
ｆ                        突起部
ｇ                        突端部
ｈ，ｉ                    弧状部
【図１】
2008074468.tif 000003
【図２】
2008074468.tif 000004
【図３】
2008074468.tif 000005
【図４】
2008074468.tif 000006
【図５】
2008074468.tif 000007
【図６】
2008074468.tif 000008
【図７】
2008074468.tif 000009
【図８】
2008074468.tif 000010
【図９】
2008074468.tif 000011